(57)【要約】【課題】  簡単な設備で、メンテナンス作業が簡単で汚れを完全に取り除くことができる換気ダクト及び換気システムを提供する。【解決手段】  建物内１０を換気する換気ダクト１であって、この換気ダクト１は２重管ダクトからなり、外側のダクト１１の中に、外側ダクト１１より径の小さい内側ダクト１２が挿入されており、この内側ダクト１２は外側のダクト１１から抜き差しが可能になされている。【選択図】図１
2005331131.tif 000002
【特許請求の範囲】
【請求項１】
建物内を換気する換気ダクトであって、この換気ダクトは２重管ダクトからなり、外側のダクトの中に、外側ダクトより径の小さい内側ダクトが挿入されており、この内側ダクトは外側のダクトから抜き差しが可能になされていることを特徴とする換気ダクト。
【請求項２】
上記内側ダクトの内面に機能材が設置されていることを特徴とする請求項１記載の換気ダクト。
【請求項３】
建物内を換気する換気システムであって、換気ダクトはメインラインとバイパスラインとを有し、メインラインには請求項１記載の換気ダクトが設置され、バイパスラインには請求項２記載の換気ダクトが設置されたことを特徴とする換気システム。
【発明の詳細な説明】
【技術分野】
【０００１】
この発明は、建物内において用いられる換気ダクト及び換気システムに関する。
特に換気ダクト内の汚れを簡単に清掃できて、必要に応じて、脱臭機能を有し、メンテナンスの容易な換気ダクト及び換気システムに関する。
【背景技術】
【０００２】
従来の建物において用いられる換気ダクトは、相当年数が経過すると、ダクト内に繊維質その他の塵埃が蓄積され、これが保持限度を超えることにより、その一部が剥離飛散したりして、室内環境を汚染するという問題がある。このため空気調和設備の清掃方式として各種のものがあるが、その中に強制排気を利用して空調用ダクト内面の清掃を行う乱流強制ハタキ式清掃装置が提案されている。（特許文献１参照）。
【０００３】
又、従来、閉鎖された空間内で、空気供給用又は空調用ダクトにより空気を供給する場合、刺激性或いは有害な細菌、特にカビ、藻類、微生物、ウイルス等は中にいる人間の健康を害するか、或いは不快にさせるため、このような細菌がそのような空間に侵入するのを防止するため、空気ろ過装置が設けられている。しかし、空気ろ過装置では一般に上述のような細菌を完全には除去できない。そこで、空調ダクト内空気の殺菌方法及び装置が提案されている。（特許文献２参照）。
【０００４】
特許文献１に示されている空調用ダクト内面の清掃を行う乱流強制ハタキ式清掃装置は、図４に示すように、清掃しようとする空調用ダクト１０４内に清掃用へッダー１０１を挿入し、これに矢印１０６の方向に、強制的排気を行うようにする。つまり排風機１０７は集成器を装着したもので、空気調和機近くのメインダクトに開口部を設け、これにアルミダクトにより接続し、排風器１０７にて強制排風する。即ち、清掃しようとする空調用ダクト１０４に取り付けられている給気口を取り外した口、或いはダクトに開口した穴１０８から清掃用ヘッダー１０１を挿入する。清掃する時は、清掃個所以外のダクト１０９等を閉鎖して、排風気１０７を起動し、ダクト内にｖ＝１５〜２０ｍ／ｓの風の流れを作る。この強制気流と台形型の清掃用ヘッダー１０１の作用でダクト内面周辺部の流速を中心部に比べて増すとともに、清掃用ヘッダー１０１の後部に設けられた通気口１０３により、乱気流を起こさせる。この作用により布製のハタキ１０２は外側に強くひらめき、ダクト内面を強打し清掃するものである。
【０００５】
特許文献２に示されている空調ダクト内空気の殺菌方法及び装置は、換気ダクト内に針状の空気イオン化電極、殺菌剤噴霧器及びオゾンセンサが配設されている。空気をイオン化することにより、特に陰イオンを生じさせることにより、空気流に存在する微生物、ウイルス等を全滅させることができる。特に第４級アンモニウム化合物からなる殺菌剤の粒子に電荷を与え、粒子はダクトの壁面に向けて噴霧され、粒子は壁部に沈着する。そこで、カビや藻類等も壁部に沈着していれば、それらは殺されるか、或いは少なくともそれらの成長は殺菌剤との長時間の接触により無害化される。この殺菌剤は臭い（特に悪臭）に対しても有効である。
【０００６】
【特許文献１】特許第２５２８９７０号公報
【特許文献２】特公平８−５１００４０号公報
【発明の開示】
【発明が解決しようとする課題】
【０００７】
しかし、上記特許文献１記載の空調用ダクト内面の清掃を行う乱流強制ハタキ式清掃装置は、清掃用ヘッダーをダクトの形状及び大きさにより各種のものを用意する必要がある。又、布製のハタキの届く範囲は限定されるので何回も清掃用ヘッダーを移動させて清掃する必要がある等清掃するのに手間がかかるという問題があった。
又、上記特許文献２記載の空調ダクト内空気の殺菌方法及び装置は、例えば飛行機内のように閉鎖された空間に導入される空気の大部分が再利用される場合には、優れた空気殺菌が特に重要であり、空調ダクト内に流量センサ、イオン化電極、殺菌剤噴霧器、オゾンセンサ等の大掛かりな設備もできるが、一般の建物においては、メンテナンスも含めて設備の負担が大きすぎて一般的ではない。
【０００８】
そこで、本発明は、特許文献１のような清掃作業が面倒で、不完全であるという問題点や特許文献２のように殺菌脱臭のために大掛かりな設備を必要する従来の問題点を解消し、簡単な設備で、メンテナンス作業が簡単で汚れを完全に取り除くことができる換気ダクト及び換気システムを提供することを目的とする。
【課題を解決するための手段】
【０００９】
請求項１記載の発明の換気ダクトは、建物内を換気する換気ダクトであって、この換気ダクトは２重管ダクトからなり、外側のダクトの中に、外側ダクトより径の小さい内側ダクトが挿入されており、この内側ダクトは外側ダクトから抜き差しが可能になされていることを特徴とする。
【００１０】
請求項２記載の発明の換気ダクトは、請求項１記載の換気ダクトであって、内側ダクトの内面に機能材が設置されていることを特徴とする。
【００１１】
請求項３記載の発明の換気システムは、建物内を換気する換気システムであって、換気ダクトはメインラインとバイパスラインとを有し、メインラインには請求項１記載の換気ダクトが設置され、バイパスラインには請求項２記載の換気ダクトが設置されたことを特徴とする。
【００１２】
本発明の換気ダクトとしては、アルミ製、鉄製、ステンレス製、ＰＶＣ製、ＰＰ製、ＦＲＰ製等の何れが用いられてもよく、フレキシブルダクト或いはリジッドダクト何れにも適用される。
【００１３】
本発明の内側ダクトの内面に設けられる機能材としては、脱臭剤として機能する活性炭や高分子吸着剤からなる吸着シートなどが好適に用いられる。或いは除菌殺菌の効果のある第４級アンモニウム化合物をシートに吸着させたものであっても良い。
【００１４】
本発明の換気ダクトは第１種換気（給気と排気の両方をファンで行う方式）、第２種換気（給気ファンと排気口から成る方式）、第３種換気（排気ファンと給気口から成る方式）の何れの方式においても効果的に適用される。特に本発明の換気ダクトは建物内の各部屋を換気ダクトでつなぎ、機械式の給排気ファンを微弱で２４時間運転させることで、建物内の空気を常に新鮮に保つことができる「２４時間換気システム（常時換気システム）」に好適に用いられる。
（作用）
【００１５】
請求項１記載の発明では、建物内を換気する換気ダクトであって、この換気ダクトは２重管ダクトからなり、外側のダクトの中に、外側ダクトより径の小さい内側ダクトが挿入されており、この内側ダクトは外側のダクトから抜き差しが可能になされているので、一定年限使用することにより、ダクト内はほこり等で汚れても、内側ダクトを抜き取り、新しい内側ダクトを挿入するだけでよく、清掃する必要がなく、作業も簡単であり汚れを完全に取り除くことができる。
【００１６】
請求項２記載の発明では、請求項１記載の換気ダクトであって、内側ダクトの内面に機能材が設置されているので、請求項１記載の換気ダクトと同様の作用を奏するとともに、内側ダクトの内面に機能材、例えば活性炭のような吸着剤により脱臭効果をもたせた場合、ダクト内空間を有効に利用した大面積の吸着面をもつことができるため脱臭性能が高い。
又、内側ダクトの内面に、例えば活性炭のような吸着剤により脱臭効果をもたせた場合、数年で吸着効果が小さくなるが、内側ダクトを簡単に交換でき、脱臭効果を維持することが可能である。
【００１７】
請求項３記載の発明では、建物内を換気する換気システムであって、換気ダクトはメインラインとバイパスラインとを有し、メインラインには請求項１記載の換気ダクトが設置され、バイパスラインには請求項２記載の換気ダクトが設置されているので、メインラインの換気ダクトを使用することにより、ダクト内が汚れた場合には簡単に内側ダクトを交換することが可能で、室内の空気質を常時良好な状態に保つことができる。
さらに、メインラインの常時換気システムに加えてバイパスラインの機能材付換気ダクトにより例えば脱臭効果を発揮したいときにはバイパスラインの機能材付換気ダクトに脱臭剤を設置し空気循環を行うことにより室内が脱臭される。メインラインの常時換気システムによる空調を行いながらバイパスラインによる脱臭も同時にできるのである。
【発明の効果】
【００１８】
以上説明したように、請求項１記載の発明は、建物内を換気する換気ダクトであって、この換気ダクトは２重管ダクトからなり、外側のダクトの中に、外側ダクトより径の小さい内側ダクトが挿入されており、この内側ダクトは外側のダクトから抜き差しが可能になされているから、一定年限使用すると、ダクト内はほこり等で汚れるが、汚れた内側ダクトを抜き取り、新しい内側ダクトを挿入するだけで、面倒な清掃をする必要がなく、作業も簡単でありダクト内面を汚れの全く無い状態にすることができる。
【００１９】
請求項２記載の発明は、請求項１記載の換気ダクトであって、内側ダクトの内面に機能材が設置されているから、請求項１記載の換気ダクトと同様の効果を奏するとともに、内側ダクトの内面に機能材、例えば活性炭のような吸着剤により脱臭効果をもたせることにより、ダクト内空間を有効に利用した大面積の吸着面をもつことができるため脱臭性能が高い。
又、内側ダクトの内面に、例えば活性炭のような吸着剤により脱臭効果をもたせることにより、数年で吸着効果が小さくなっても、内側ダクトを簡単に交換することで、脱臭効果を常時活性化した状態に維持することが可能である。
【００２０】
請求項３記載の発明は、建物内を換気する換気システムであって、換気ダクトはメインラインとバイパスラインとを有し、メインラインには請求項１記載のダクトが設置され、バイパスラインには請求項２記載の機能材が設置されているから、メインラインの換気ダクトを使用することにより、ダクト内が汚れた場合には簡単に内側ダクトを交換することが可能で、室内の空気質を常時良好な状態に保つことができる。
さらに、メインラインの常時換気システムに加えてバイパスラインの機能材付換気ダクトにより例えば脱臭効果を発揮したいときにはバイパスラインの機能材付換気ダクトに脱臭剤を設置し空気循環を行うことにより室内が脱臭される。メインラインの常時換気システムによる空調を行いながらバイパスラインによる脱臭も同時にできるのである。
【発明を実施するための最良の形態】
【００２１】
以下、この発明を実施するための最良の形態について図面を参照しながら詳細に説明する。
【００２２】
図１は、本発明の換気ダクトの一実施例であって、（ａ）は斜視図、（ｂ）は内皮ダクトの斜視図である。
【００２３】
１は換気ダクトであり、換気ダクト１は外側ダクト１１と外側ダクト１１より径の小さい内側ダクト１２が挿入された２重管構造になされている。内側ダクト１２は外側ダクト１１から容易に抜き差しできるようになされている。又、（ｂ）図に示すものは、内側ダクト１２ａの内面に機能剤１３である活性炭が設置されているものである。
【００２４】
換気ダクト１としては、アルミ製、鉄製、ステンレス製、或いはＰＶＣ，ＦＲＰ，ＰＰ等のプラスチック製が好適に用いられる。またフレキシブルダクト、リジッドダクト何れであっても良い。
機能剤１３としては、本実施例においては活性炭からなる吸着剤が設置されているが、内側ダクトの内面にシート状の吸着剤を貼り付けても良く、吸着剤を含む溶液あるいはエマルジョンをコーティングしても良い。
【００２５】
図２は、本発明の換気ダクトを配設した建物の換気システム（第１種換気方式）を示す説明図である。
【００２６】
１０は建物であり、その室内２０のメインラインに本発明の換気ダクト１及びバイパスラインに吸着剤を内側ダクトに設けられた換気ダクト１ａが配設されている。２は屋外と室内間の吸排気を行うためのメインラインの換気ダクトを備えた熱交換型換気装置である。熱交換型換気装置２内の換気ダクト１の吸気側及び排気側それぞれにファン２１，２２が設けられている。
バイパスラインに設けられた換気ダクト１ａにもファン３１が設けられている。
【００２７】
その結果、吸気（給気）と排気の両方をファンで行う第１種換気システムにおいて、本発明のメインラインの換気ダクト１を使用することにより、ダクト内が汚れた場合には簡単に内側ダクト１２を交換することが可能で、室内２０の空気質を常時良好な状態に保つことができる。
また、バイパスラインに設けられた換気ダクト１ａの内側ダクト１２ａに活性炭等の脱臭剤を貼付して脱臭効果をもたせた場合には、メインラインの常時換気システム部分（換気ダクト１部分）には、吸着剤の無い内側ダクト１２を使用する。メインラインの常時換気システム部分では換気回数は０．５回／時間の換気量で換気を行う。
【００２８】
さらに、メインラインの常時換気システムに加えてバイパスラインの吸着剤付換気ダクト１１ａを設置し、脱臭効果を発揮したいときにはバイパスラインの吸着剤付換気ダクト１１ａを１０回／時間程度空気循環を行うことにより室内が脱臭される。メインラインの常時換気システムによる空調を行いながらバイパスラインによる脱臭も熱ロスを最小限に抑えて同時にできるのである。即ちメインラインの常時換気システムの換気量を１０回／時間に増やした場合には空調の熱ロスが（冬季は暖房ロス、夏季は冷房ロス）大きくなる。
また、バイパスラインの吸着剤付換気ダクト１１ａは空気清浄機よりも大面積の吸着剤と、大風量の空気循環で臭気を吸着することができるため脱臭性能は空気清浄機よりも高くすることが可能である。
【００２９】
図３は、本発明の換気ダクトの交換方法を示す説明図である。
【００３０】
吸着剤（活性炭等）は数年で吸着能力が低下するが、内側ダクト１１ａの交換が簡単にできるので、容易にメンテナンスが可能である。
即ち、図３に示すように、メインライン（換気ダクト１）とバイパスライン（機能材付換気ダクト１ａ）の交わるＡ部あるいはＢ部を解体して内側ダクト１２ａを取り出し、新しい内側ダクト１２ａを装着し外側ダクト１１ａを再接続するだけでバイパスラインとメインラインとが接続され、メンテナンスが簡単にできる。
【産業上の利用可能性】
【００３１】
以上、この発明を実施例により説明したが、この発明は上記実施例に限定されるものではなく、この発明の要旨を逸脱しない範囲の設計変更等があっても、この発明に含まれる。
例えば、本実施例においては第１種換気方式（給気と排気の両方をファンで行う方式）、について説明したが、第２種換気（給気ファンと排気口から成る方式）、第３種換気（排気ファンと給気口から成る方式）の何れの方式においても効果的に適用される。
【図面の簡単な説明】
【００３２】
【図１】本発明の換気ダクトの一実施例であって、（ａ）は斜視図、（ｂ）は内側ダクトの斜視図である。
【図２】本発明の換気ダクトを配設した建物の換気システム（第１種換気方式）を示す説明図である。
【図３】本発明の換気ダクトの交換方法を示す説明図である。
【図４】本発明の背景技術の清掃装置を示す説明図である。
【符号の説明】
【００３３】
１、１ａ        換気ダクト
１１            外側ダクト
１２、１２ａ    内側ダクト
１３            機能材
２              熱交換器
２１，２２，３１ファン
１０            建物
２０            室内
【図１】
2005331131.tif 000003
【図２】
2005331131.tif 000004
【図３】
2005331131.tif 000005
【図４】
2005331131.tif 000006